(57)【要約】【課題】異なる系統電圧を受電し得るようにするために変圧器の一次巻線の接続を切り換える変圧器用切換開閉器をコンパクトに構成すること。【解決手段】変圧器の一次巻線を構成する単位一次巻線Ｌ1ないしＬ4の端末部が接続される端子群Ｔ1a〜Ｔ1d，Ｔ2a〜Ｔ2d，Ｔ3a〜Ｔ3dを３つの端子グループＧ1ないしＧ3に分け、各端子グループに属する複数の端子を端子グループの並設方向と直角な方向に並べて配置する。端子グループＧ1ないしＧ3に対してそれぞれ単位開閉器ＳＷ1ないしＳＷ3を設け、受電する系統電圧に応じて単位開閉器ＳＷ1ないしＳＷ3を切り換えることにより単位一次巻線を並列または直列に接続する。【選択図】    図８
2005072484.tif 000002
【特許請求の範囲】
【請求項１】
第１の値の系統電圧及び該第１の値よりも大きい第２の値の系統電圧のいずれをも受電し得るようにするために各相の一次巻線が複数の単位一次巻線に分割された変圧器の一次側に設けられて、前記系統電圧の値が前記第１の値をとる場合及び第２の値をとる場合のいずれの場合にも前記変圧器の二次側に同じ電圧を得るように、前記各相の一次巻線を構成する複数の単位一次巻線の接続を切り換える変圧器用切換開閉器であって、
前記変圧器の各相の一次巻線を構成する複数の単位一次巻線の端末部に接続された端子群を備えた端子部と、前記系統電圧の電圧値に応じて前記単位一次巻線の接続を切り換えるべく前記端子群を構成する端子間を開閉する開閉器部とを備え、
前記端子部に設けられた端子群は複数の端子グループに分けられていて、該複数の端子グループが一方向に沿って並べて配置されるとともに、各端子グループに属する複数の端子が前記一方向と直交する平面に沿って並べて配置され、
前記開閉器部は、前記複数の端子グループに対してそれぞれ設けられて前記一方向に並べて配置された複数の単位開閉器からなっていて、前記複数の単位開閉器が前記一方向に延びる操作軸により同時に操作されるように構成されていること、
を特徴とする変圧器用切換開閉器。
【請求項２】
前記各端子グループに属する複数の端子はそれぞれの中心軸線を前記平面上に位置させた状態で設けられ、
前記各端子グループに対して設けられた単位開閉器の構成部品は、前記平面に沿って配置されていること、
を特徴とする請求項１に記載の変圧器用切換開閉器。
【請求項３】
前記各端子グループに対して設けられた単位開閉器は、可動接触子と固定接触子とが刃形接触をする開閉器からなっていることを特徴とする請求項２に記載の変圧器用切換開閉器。
【請求項４】
前記各端子グループにおいて隣り合う端子間の電位差が、前記変圧器の各相の一次巻線を構成する単位一次巻線１つが負担する電圧値を超えないように、各端子が接続される単位巻線の端末部が選択されている請求項２，３または４に記載の変圧器用切換開閉器。
【請求項５】
６．６ｋＶの系統電圧及び２２ｋＶの系統電圧のいずれをも受電し得るようにするために各相の一次巻線が、６．６ｋＶの電圧を負担する第１ないし第３の単位一次巻線と２．２ｋＶの電圧を負担する第４の単位一次巻線とに分割された変圧器の一次側に設けられて、前記系統電圧が６．６ｋＶの場合に前記第１ないし第３の単位一次巻線の一端どうし及び他端どうしをそれぞれ接続することにより該第１ないし第３の単位一次巻線を並列に接続して前記各相の一次巻線を構成し、前記系統電圧が２２ｋＶの場合に前記第１ないし第３の単位一次巻線のそれぞれの他端に前記第２ないし第４の単位一次巻線の一端を接続することにより前記第１ないし第４の単位一次巻線を直列に接続して前記各相の一次巻線を構成するように、各相の一次巻線を構成する第１ないし第４の単位一次巻線の接続を切り換える変圧器用切換開閉器であって、
前記第１の単位一次巻線の一端に接続された第１グループ第１端子と前記第２の単位一次巻線の一端に接続された第１グループ第２端子と前記第３の単位一次巻線の一端に接続された第１グループ共通端子と前記第２の単位一次巻線の他端に接続された第１グループ第３端子とからなる第１の端子グループと、前記第２の単位一次巻線の他端に接続された第２グループ第１端子と前記第１の単位一次巻線の他端に接続された第２グループ共通端子と前記第２の単位一次巻線の一端に接続された第２グループ第２端子とからなる第２の端子グループと、前記第２の単位一次巻線の他端に接続された第３グループ第１端子と前記第３の単位一次巻線の他端及び第４の単位一次巻線の一端に接続された第３グループ第２端子と前記第４の単位一次巻線の他端に接続された第３グループ共通端子とからなる第３の端子グループとを備えて、前記第１ないし第３の端子グループを一方向に並べて配置すると共に、各端子グループに属する複数の端子を前記一方向と直交する平面に沿って並べて配置した構成を有する端子部と、前記第１ないし第３の端子グループに対してそれぞれ設けられた第１ないし第３の単位開閉器からなる開閉器部とを備え、
前記第１の単位開閉器は、前記第１グループ共通端子と前記第１グループ第１端子及び第１グループ第２端子との間を開閉するように設けられた第１グループ第１スイッチと、前記第１グループ共通端子と前記第１グループ第３端子との間を開閉するように設けられて前記第１グループ第１スイッチが閉状態にされるとき及び開状態にされるときにそれぞれ開状態及び閉状態にされる前記第１グループ第２スイッチとからなり、
前記第２の単位開閉器は、前記第２グループ共通端子と第２グループ第１端子との間を開閉するように設けられた第２グループ第１スイッチと、前記第２グループ共通端子と第２グループ第２端子との間を開閉するように設けられて前記第２グループ第１スイッチが開状態にされるとき及び閉状態にされるときにそれぞれ閉状態及び開状態にされる第２グループ第２スイッチとからなり、
前記第３の単位開閉器は、前記第３グループ共通端子と前記第３グループ第１端子及び第３グループ第２端子との間を開閉するように構成され、
前記第１の単位開閉器及び第２の単位開閉器の第１スイッチと前記第３の単位開閉器とを同時に閉状態及び開状態にするように前記第１ないし第３の単位開閉器を前記一方向に延びる操作軸により操作する操作機構が設けられていること、
を特徴とする変圧器用切換開閉器。
【請求項６】
６．６ｋＶの系統電圧及び２２ｋＶの系統電圧のいずれをも受電し得るようにするために各相の一次巻線が、６．６ｋＶの電圧を負担する第１ないし第３の単位一次巻線と２．２ｋＶの電圧を負担する第４の単位一次巻線とに分割された変圧器の一次側に設けられて、前記系統電圧が６．６ｋＶの場合に前記第１ないし第３の単位一次巻線の一端どうし及び他端どうしをそれぞれ接続することにより該第１ないし第３の単位一次巻線を並列に接続して前記各相の一次巻線を構成し、前記系統電圧が２２ｋＶの場合に前記第１ないし第３の単位一次巻線のそれぞれの他端に前記第２ないし第４の単位一次巻線の一端を接続することにより前記第１ないし第４の単位一次巻線を直列に接続して前記各相の一次巻線を構成するように、各相の一次巻線を構成する第１ないし第４の単位一次巻線の接続を切り換える変圧器用切換開閉器であって、
前記第１の単位一次巻線の一端に接続された第１グループａ列端子と前記第２の単位一次巻線の一端に接続された第１グループｂ列端子と前記第３の単位一次巻線の一端に接続された第１グループｃ列端子と前記第２の単位一次巻線の他端に接続された第１グループｄ列端子とからなる第１の端子グループと、前記第２の単位一次巻線の他端に接続された第２グループａ列端子と空き端子とされた第２グループｂ列端子と前記第１の単位一次巻線の他端に接続された第２グループｃ列端子と前記第２の単位一次巻線の一端に接続された第２グループｄ列端子とからなる第２の端子グループと、前記第２の単位一次巻線の他端に接続された第３グループａ列端子と第３の単位一次巻線の他端及び第４の単位一次巻線の一端に接続された第３グループｂ列端子と前記第４の単位一次巻線の他端に接続された第３グループｃ列端子と空き端子とされた第３グループｄ列端子とからなる第３の端子グループとを備えて、前記第１ないし第３の端子グループを一方向に並べて配置すると共に、各端子グループに属するａ列ないしｄ列端子を他のグループに属するａ列ないしｄ列端子と位置を整合させた状態で前記一方向と直交する平面に沿って並べて配置した構成を有する端子部と、前記第１ないし第３の端子グループのそれぞれに対して個別に設けられた第１ないし第３の単位開閉器からなる開閉器部とを備え、
前記第１の単位開閉器は、前記第１グループｃ列端子と前記第１グループａ列端子及び第１グループｂ列端子との間を開閉するように設けられた第１グループ第１スイッチと、前記第１グループｃ列端子と前記第１グループｄ列端子との間を開閉するように設けられて前記第１グループ第１スイッチが閉状態にされるとき及び開状態にされるときにそれぞれ開状態及び閉状態にされる第１グループ第２スイッチとからなり、
前記第２の単位開閉器は、前記第２グループｃ列端子と第２グループａ列端子及び第２グループｂ列端子との間を開閉するように設けられた第２グループ第１スイッチと、前記第２グループｃ列端子と第２グループｄ列端子との間を開閉するように設けられて前記第２グループ第１スイッチが開状態にされるとき及び閉状態にされるときにそれぞれ閉状態及び開状態にされる第２グループ第２スイッチとからなり、
前記第３の単位開閉器は、前記第３グループｃ列端子と前記第３グループａ列端子及び第３グループｂ列端子との間を開閉するように設けられた第３グループ第１スイッチと前記第３グループｃ列端子と第３グループｄ列端子との間を開閉するように設けられて前記第３グループ第１スイッチが開状態にされるとき及び閉状態にされるときにそれぞれ閉状態及び開状態にされる第３グループ第２スイッチとからなり、
前記第１の単位開閉器及び第２の単位開閉器の第１スイッチと前記第３の単位開閉器とを同時に閉状態及び開状態にするように前記第１ないし第３の単位開閉器を前記一方向に延びる操作軸により操作する操作機構が設けられていること、
を特徴とする変圧器用切換開閉器。
【請求項７】
前記第１ないし第３の端子グループのそれぞれに属する複数の端子は、それぞれの中心軸線を前記一方向と直交する平面上で互いに平行な方向に向けた状態で設けられ、
前記第１ないし第３の単位開閉器の構成部品は、前記一平面に沿って配置されていること、
を特徴とする請求項５または６に記載の変圧器用切換開閉器。
【請求項８】
６．６ｋＶの系統電圧及び２２ｋＶの系統電圧のいずれをも受電し得るようにするために各相の一次巻線が、６．６ｋＶの電圧を負担する第１ないし第３の単位一次巻線と２．２ｋＶの電圧を負担する第４の単位一次巻線とに分割された変圧器の一次側に設けられて、前記系統電圧が６．６ｋＶの場合に前記第１ないし第３の単位一次巻線の一端どうし及び他端どうしをそれぞれ接続することにより該第１ないし第３の単位一次巻線を並列に接続して前記各相の一次巻線を構成し、前記系統電圧が２２ｋＶの場合に前記第１ないし第３の単位一次巻線のそれぞれの他端に前記第２ないし第４の単位一次巻線の一端を接続することにより前記第１ないし第４の単位一次巻線を直列に接続して前記各相の一次巻線を構成するように、各相の一次巻線を構成する第１ないし第４の単位一次巻線の接続を切り換える変圧器用切換開閉器であって、
前記第１の単位一次巻線の一端に接続された第１グループ第１端子と前記第２の単位一次巻線の一端に接続された第１グループ第２端子と前記第３の単位一次巻線の一端に接続された第１グループ共通端子と前記第２の単位一次巻線の他端に接続された第１グループ第３端子とからなる第１の端子グループと、前記第４の単位一次巻線の他端に接続された第２グループ第１端子と前記第３の単位一次巻線の他端及び第４の単位一次巻線の一端に接続された第２グループ第２端子と前記第２の単位一次巻線の他端に接続された第２グループ第３端子と前記第１の単位一次巻線の他端に接続された第２グループ共通端子と前記第２の単位一次巻線の一端に接続された第２グループ第４端子とからなる第２の端子グループとを備えて、前記第１及び第２の端子グループを一方向に並べて配置すると共に、各端子グループに属する端子を前記一方向と直交する平面に沿って並べて配置した構成を有する端子部と、前記第１及び第２の端子グループのそれぞれに対して設けられた第１及び第２の単位開閉器からなる開閉器部とを備え、
前記第１の単位開閉器は、前記第１グループ共通端子と前記第１グループ第１端子及び第１グループ第２端子との間を開閉するように設けられた第１グループ第１スイッチと、前記第１グループ共通端子と前記第１グループ第３端子との間を開閉するように設けられて前記第１グループ第１スイッチが閉状態にされるとき及び開状態にされるときにそれぞれ開状態及び閉状態にされる前記第１グループ第２スイッチとからなり、
前記第２の単位開閉器は、前記第２グループ共通端子と第２グループ第１端子、第２グループ第２端子及び第２グループ第３端子との間を開閉するように設けられた第２グループ第１スイッチと、前記第２グループ共通端子と第２グループ第４端子との間を開閉するように設けられて前記第２グループ第１スイッチが開状態にされるとき及び閉状態にされるときにそれぞれ閉状態及び開状態にされる第２グループ第２スイッチとからなり、
前記第１の単位開閉器の第１スイッチと第２の単位開閉器の第１スイッチとを同時に閉状態及び開状態にするように前記第１及び第２の単位開閉器を前記一方向に延びる操作軸により操作する操作機構が設けられていること、
を特徴とする変圧器用切換開閉器。
【請求項９】
前記第１及び第２の端子グループのそれぞれに属する複数の端子は、それぞれの中心軸線を前記一方向と直交する平面上で互いに平行な方向に向けた状態で設けられ、
前記第１及び第２の端子グループのそれぞれに対して設けられた単位開閉器の構成部品は、前記一平面に沿って配置されていること、
を特徴とする請求項８に記載の変圧器用切換開閉器。
【請求項１０】
各単位開閉器の第１スイッチ及び第２スイッチは、可動接触子と固定接触子が刃形接触をするスイッチからなっている請求項５ないし９のいずれか１つに記載の変圧器用切換開閉器。
【発明の詳細な説明】
【技術分野】
【０００１】
本発明は、一次巻線の接続を切り換えることにより２つの異なる系統電圧を受電することができるように構成された変圧器の一次側に設けられて、該変圧器の一次巻線の接続を切り換える切換開閉器に関するものである。
【背景技術】
【０００２】
配電系統は、配電用変電所から引き出された高圧配電線と、高圧配電線から受電した電圧を降圧する変圧器装置と、該変圧器装置の二次側から需要家に至る低圧配電線とにより構成される。従来高圧配電線に印加される電圧としては６．６ｋＶが採用されてきたが、非特許文献１に示されているように、近年需要の増加に伴って２２ｋＶの特別高圧による配電も採用されるようになっている。またこれから設置する配電系統において、６．６ｋＶの高圧配電を採用する場合であっても、将来需要が増加した時点で２２ｋＶの特別高圧配電系統に切り換えることがある。
【０００３】
従来、配電設備に用いる変圧器は、１種類の系統電圧のみを受電し得るように構成されていたため、６．６ｋＶから２２ｋＶに切り換える際には、変圧器を交換することが必要になり、多くの設備投資が必要であった。
【０００４】
そこで本出願人は先に、特願２００２−１７８７３４号において、２種類の系統電圧を受電し得る変圧器装置を提案した。この既提案の変圧器装置は、系統電圧が印加される各相の一次巻線が複数の単位一次巻線に分割された変圧器と、系統電圧の値が第１の値をとる場合及び該第１の値よりも大きい第２の値をとる場合のいずれの場合にも変圧器の二次側に同じ電圧を得るように、系統電圧の値に応じて各相の一次巻線を構成する複数の単位一次巻線の接続を切り換える切換開閉器とにより構成される。
【０００５】
例えば一次側がΔ結線されている変圧器において、６．６ｋＶの系統電圧と２２ｋＶの系統電圧との双方を受電し得るようにする場合には、図１７及び図１９に示したように、変圧器の各相の一次巻線１が、６．６ｋＶの電圧を負担する第１ないし第３の単位一次巻線Ｌ1ないしＬ3と、２．２ｋＶの電圧を負担する第４の単位一次巻線Ｌ4とに分割される。
【０００６】
このように一次巻線が分割された変圧器において、６．６ｋＶの系統電圧を受電する際には、図１７に示すように、第１ないし第３の単位一次巻線Ｌ1ないしＬ3の一端ｔ1，ｔ3，ｔ5どうし及び他端ｔ2，ｔ4，ｔ6どうしをそれぞれ接続することにより第１ないし第３の単位一次巻線Ｌ1ないしＬ3を並列に接続して各相の一次巻線を構成する。このとき、第４の単位巻線Ｌ4は、図示のようにその一端ｔ７を何処にも接続せずに遊ばせておくか、または短絡しておく。
【０００７】
また、２２ｋＶの系統電圧を受電する際には、図１９に示すように、第１ないし第３の単位一次巻線Ｌ1ないしＬ3のそれぞれの他端ｔ2，ｔ4，ｔ6に第２ないし第４の単位一次巻線Ｌ2ないしＬ4の一端ｔ3，ｔ5，ｔ7を接続することにより第１ないし第４の単位一次巻線Ｌ1ないしＬ4を直列に接続して各相の一次巻線を構成する。
【０００８】
既提案の変圧器装置においては、上記のように一次巻線の接続を切り換える切換開閉器２´が図１８及び図２０に示すように構成されていた。図１８は単位一次巻線を図１７のように並列接続する場合の切換開閉器２´の状態を示し、図２０は図１９に示すように単位一次巻線を直列接続する場合の切換開閉器２´の状態を示している。
【０００９】
既提案の切換開閉器２´において、Ｃ11は単位一次巻線Ｌ1の一端ｔ1に接続された固定接点、Ｃ21及びＣ22は単位一次巻線Ｌ1の他端ｔ2に接続された固定接点、Ｃ31ないしＣ33は単位一次巻線Ｌ2の一端ｔ3に接続された固定接点、Ｃ41ないしＣ43は単位一次巻線Ｌ2の他端ｔ4に接続された固定接点、Ｃ51及びＣ52は単位一次巻線Ｌ3の一端ｔ5に接続された固定接点、Ｃ61ないしＣ63は単位一次巻線Ｌ3の他端ｔ6に接続された固定接点、Ｃ71及びＣ81はそれぞれ単位一次巻線Ｌ4の一端ｔ7及び他端ｔ8に接続された固定接点である。
【００１０】
図示の例では、所定の２つの固定接点が組み合わされて対向配置されることにより、対の固定接点（Ｃ21，Ｃ41），（Ｃ22，Ｃ31），（Ｃ11，Ｃ32），（Ｃ51，Ｃ33），（Ｃ52，Ｃ42），（Ｃ61，Ｃ43），（Ｃ62，Ｃ81）及び（Ｃ63,Ｃ71）が構成され、これらの固定接点群（Ｃ21，Ｃ41），（Ｃ22，Ｃ31），…，（Ｃ63,Ｃ71）が一方向に並べて配置されている。そして、８組の対の固定接点（Ｃ21，Ｃ41），（Ｃ22，Ｃ31），…，（Ｃ63,Ｃ71）の並設方向に伸びる操作軸Ｂが設けられ、対の固定接点（Ｃ21，Ｃ41），（Ｃ22，Ｃ31），…，（Ｃ63,Ｃ71）のそれぞれに接離する可動接点Ｍ1ないしＭ8が操作軸Ｂに取り付けられている。
【００１１】
図１７に示すように、６．６ｋＶの系統電圧を受電するために単位一次巻線Ｌ1ないしＬ3を並列接続する場合には、操作軸Ｂを一方向に直線変位させて一連の可動接点Ｍ１ないしＭ８を図１８に示すように対の固定接点群に突き合わせ接触させる。また図１９に示すように２２ｋＶの系統電圧を受電するために単位一次巻線Ｌ1ないしＬ4を直列に接続する場合には、操作軸Ｂを他方向に直線変位させて、一連の可動接点Ｍ１ないしＭ８を図２０に示すように対の固定接点群に突き合わせ接触させる。
【００１２】
なお図１８及び図２０は、切換開閉器２´の１相分の構成を示している。同様に構成された切換開閉器が更に２相分設けられ、３相の一次巻線の接続を切り換える切換開閉器が、それぞれの操作軸Ｂの軸線を一致させた状態で縦列配置されて、３相の切換開閉器の操作軸が相互に連結される。
【００１３】
上記のように構成すると、切換開閉器により変圧器の一次巻線の接続を切り換えることにより、変圧器の各相の一次電圧を６．６ｋＶと２２ｋＶとに切り換えることができるため、当面は６．６ｋＶで受電し、将来受電電圧を２２ｋＶに変更する場合に、既設の変圧器をそのまま利用することができる。
【非特許文献１】電気事業講座編集委員会編  電気事業講座第１０巻「電力流通設備」株式会社電力新報社  平成８年１１月２８日発行（２３２頁）
【発明の開示】
【発明が解決しようとする課題】
【００１４】
上記のように、既提案の変圧器装置で用いられていた切換開閉器は、単位一次巻線の端末部が接続される端子につながる多数の対の固定接点を一方向に並べて配置して、これらの対の固定接点に可動接点を突き合わせ接触させる構造になっていたため、切換開閉器の長さが著しく長くなり、変圧器装置が大形になるという問題があった。
【００１５】
本発明の目的は、２種類の系統電圧を受電し得るようにするために各相の一次巻線が複数の単位一次巻線に分割された変圧器の一次側に設けられて、受電する系統電圧に応じて各相の一次巻線を構成する単位一次巻線の接続を切り換える変圧器用切換開閉器をコンパクトに構成することができるようにすることにある。
【課題を解決するための手段】
【００１６】
本発明は、第１の値の系統電圧及び該第１の値よりも大きい第２の値の系統電圧のいずれをも受電し得るようにするために各相の一次巻線が複数の単位一次巻線に分割された変圧器の一次側に設けられて、系統電圧の値が第１の値をとる場合及び第２の値をとる場合のいずれの場合にも変圧器の二次側に同じ電圧を得るように、各相の一次巻線を構成する複数の単位一次巻線の接続を切り換える変圧器用切換開閉器を対象とする。
【００１７】
本発明に係わる切換開閉器は、変圧器の各相の一次巻線を構成する複数の単位一次巻線の端末部に接続された端子群を備えた端子部と、系統電圧の電圧値に応じて単位一次巻線の接続を切り換えるべく前記端子群を構成する端子間を開閉する開閉器部とを備えた構成とする。
【００１８】
本発明においては、上記端子部に設けられた端子群が複数の端子グループに分けられて、該複数の端子グループが一方向に沿って並べて配置されるとともに、各端子グループに属する複数の端子が上記一方向と直交する平面に沿って並べて配置される。また上記開閉器部は、複数の端子グループに対してそれぞれ設けられて上記一方向に並べて配置された複数の単位開閉器からなっていて、該複数の単位開閉器が上記一方向に延びる操作軸により同時に操作されるように構成されている。
【００１９】
上記のように、単位一次巻線の端末部を接続するために切換開閉器に設ける端子群を複数の端子グループに分けて、該複数の端子グループを一方向に沿って並べて配置し、更に各端子グループに属する複数の端子を上記一方向と直交する平面に沿って並べて配置するとともに、複数の端子グループに対してそれぞれ単位開閉器を設けて、これらの単位開閉器により切換開閉器を構成するようにすると、単位一次巻線の端末部を接続する一連の端子を一方向に並べて配置していた既提案の切換開閉器に比べて、長さを大幅に短くすることができ、変圧器用切換開閉器をコンパクトに構成することができる。
【００２０】
本発明の好ましい態様では、各端子グループに属する複数の端子が、それぞれの中心軸線を前記一方向と直交する一平面上に位置させた状態で設けられ、各端子グループに対して設けられた単位開閉器の構成部品が前記一平面に沿って配置される。
【００２１】
このように構成すると、各端子グループに属する端子と各端子グループに対応する単位開閉器とをコンパクトにまとめて構成することができるため、切換開閉器を一層小形に構成することができる。
【００２２】
本発明の好ましい態様では、各端子グループに対して設けられた単位開閉器が、可動接触子と固定接触子とが刃形接触をする開閉器により構成される。
【００２３】
このように構成すると、既提案の切換開閉器のように、突き合わせ接触構造の接点を用いる場合に比べて開閉器の信頼性を高めることができる。
【００２４】
本発明の好ましい態様では、各端子グループにおいて隣り合う端子間の電位差が、変圧器の各相の一次巻線を構成する単位一次巻線１つが負担する電圧値を超えないように、各端子が接続される単位巻線の端末部が選択される。
【００２５】
このように構成すると、各単位開閉器の隣接する端子間の絶縁距離を短くすることができるため、各単位切換開閉器の小形化を図ることができる。
【発明の効果】
【００２６】
以上のように、本発明によれば、単位一次巻線の端末部を接続する端子群を複数の端子グループに分けて、該複数の端子グループを一方向に沿って並べて配置し、更に各端子グループに属する複数の端子を上記一方向と直交する平面に沿って並べて配置すると共に、複数の端子グループに対してそれぞれ単位開閉器を設けて、これらの単位開閉器により切換開閉器を構成するようにしたので、長さが長くなるのを防いで、切換開閉器をコンパクトに構成することができる。
【００２７】
また本発明において、各端子グループに属する複数の端子を、それぞれの中心軸線を前記一方向と直交する平面上に位置させた状態で設けて、各端子グループに対して設けられる単位開閉器の構成部品を上記平面に沿って配置するようにした場合には、各端子グループに属する複数の端子と各端子グループに対応する単位開閉器とをコンパクトにまとめて構成することができるため、切換開閉器を一層小形に構成することができる。
【００２８】
更に本発明において、各端子グループの隣り合う端子間の電位差が、変圧器の各相の一次巻線を構成する単位一次巻線１つが負担する電圧値を超えないように、各端子に接続される単位巻線の端末部を選択するようにした場合には、各単位開閉器の隣接する端子間の絶縁距離を短くすることができるため、各単位切換開閉器の小形化を図って、切換開閉器のより一層の小形化を図ることができる。
【発明を実施するための最良の形態】
【００２９】
以下図１ないし図１６を参照して本発明の好ましい実施形態を説明する。図１ないし図１６において、図１は、本発明に係わる切換開閉器を適用する変圧器の６．６ｋＶ受電時の各相の一次巻線の構成を示した回路図、図２は、本発明に係わる切換開閉器を適用する変圧器の２２ｋＶ受電時の各相の一次巻線の構成を示した回路図、図３ないし図５はそれぞれ本発明の第１ないし第３の実施形態に係わる切換開閉器の端子部の構成例を概略的に示した構成図である。また図６は本発明の第１の実施形態に係わる切換開閉器を用いた変圧器装置において６．６ｋＶ受電時に切換開閉器と１相の一次巻線とにより構成される回路を示した回路図、図７は本発明の第１の実施形態に係わる切換開閉器を用いた変圧器装置において２２ｋＶ受電時に切換開閉器と１相の一次巻線とにより構成される回路を示した回路図である。更に図８は、本発明の第２の実施形態に係わる切換開閉器を用いた変圧器装置において６．６ｋＶ受電時に切換開閉器と１相の一次巻線とにより構成される回路を示した回路図、図９は、本発明の第２の実施形態に係わる切換開閉器を用いた変圧器装置において２２ｋＶ受電時に切換開閉器と１相の一次巻線とにより構成される回路を示した回路図、図１０は本発明の第３の実施形態に係わる切換開閉器を用いた変圧器装置において６．６ｋＶ受電時に切換開閉器と１相の一次巻線とにより構成される回路を示した回路図、図１１は、本発明の第３の実施形態に係わる切換開閉器を用いた変圧器装置において２２ｋＶ受電時に切換開閉器と１相の一次巻線とにより構成される回路を示した回路図である。また図１２は本発明の第２の実施形態で用いる単位開閉器の６．６ｋＶ受電時の構成を示した正面図、図１３は、本発明の第２の実施形態で用いる単位開閉器の２２ｋＶ受電時の構成を示した正面図、図１４は、本発明の第２の実施形態で用いる３相の単位開閉器を示した側面図である。図１５は、本発明に係わる切換開閉器により一次巻線の接続が切り換えられる変圧器の６．６ｋＶ受電時の構成を示した回路図、図１６は、本発明に係わる切換開閉器により一次巻線の接続が切り換えられる変圧器装置の２２ｋＶ受電時の構成を示した回路図である。
【００３０】
本実施形態では、変圧器の３相の一次巻線がΔ結線されているものとし、６．６ｋＶ及び２２ｋＶのいずれの系統電圧をも受電し得るようにするために、図１及び図２に示したように、各相の一次巻線が第１ないし第４の単位一次巻線Ｌ1ないしＬ4に分割されているものとする。これらの単位一次巻線のうち、第１ないし第３の単位一次巻線Ｌ1ないしＬ3は、それぞれが６．６ｋＶの電圧を負担するように巻回され、第４の単位一次巻線Ｌ4は、２．２ｋＶの電圧を負担するように巻回されている。
【００３１】
そして、６．６ｋＶの系統電圧を受電する際には、図１に示すように、第１ないし第３の単位一次巻線Ｌ1ないしＬ3の一端ｔ1，ｔ3，ｔ5どうし及び他端ｔ2，ｔ4，ｔ6どうしをそれぞれ接続することにより第１ないし第３の単位一次巻線Ｌ1ないしＬ3を並列に接続すると共に、第４の一次巻線の一端ｔ7を他端ｔ8に接続することにより第４の一次巻線を短絡して各相の一次巻線を構成する。このように、一次巻線を構成した場合の変圧器の構成を図１５に示した。図１５においてＷ1は一次側の巻線を示し、ＴuないしＴwはそれぞれＵないしＷ相の一次端子を示している。またＷ2は二次側の巻線を示し、Ｔu´ないしＴw´はそれぞれＵないしＷ相の二次端子を示している。なお図１５に示した例では、二次側がスター結線されているが、変圧器の二次側はΔ結線でもよく、オープンΔ結線でもよい。
【００３２】
また２２ｋＶの系統電圧を受電する際には、図２に示すように、第１ないし第３の単位一次巻線Ｌ1ないしＬ3のそれぞれの他端ｔ2，ｔ4，ｔ6に第２ないし第４の単位一次巻線の一端ｔ3，ｔ5，ｔ7をそれぞれ接続することにより第１ないし第４の単位一次巻線Ｌ1ないしＬ4を直列に接続して各相の一次巻線を構成する。このように一次巻線を構成した場合の変圧器の構成を図１６に示した。
【００３３】
受電する系統電圧の大きさに応じて第１ないし第４の単位一次巻線Ｌ1ないしＬ4の接続を図１または図２のように切り換えるために本発明に係わる切換開閉器が設けられている。この切換開閉器は、単位一次巻線Ｌ1ないしＬ4の端末部が接続される端子群を備えた端子部と、系統電圧の電圧値に応じて単位一次巻線Ｌ1ないしＬ4の接続を切り換えるべく端子群を構成する端子間を開閉する開閉器部とにより構成される。
【００３４】
本発明においては、端子部に設けられる端子群が複数の端子グループに分けられて、該複数の端子グループが一方向に沿って並べて配置され、各端子グループに属する複数の端子が該一方向を横切る方向に並べて配置される。
【００３５】
また開閉器部は、複数の端子グループに対してそれぞれ設けられて複数の端子グループとともに上記一方向に並べて配置された複数の単位開閉器により構成されて、該一方向に延びる共通の操作軸により操作される。
【００３６】
本発明の第１の実施形態においては、図３に示したように、単位一次巻線Ｌ1ないしＬ4の端末部に接続される端子群が第１ないし第３の端子グループＧ１ないしＧ３に分けられる。また図６及び図７に示したように、これらの端子グループに対してそれぞれ単位開閉器ＳＷ１ないしＳＷ３が設けられ、これらの単位開閉器により開閉器部が構成される。
【００３７】
第１の端子グループＧ１は、第１の単位一次巻線Ｌ1の一端ｔ1に接続される第１グループ第１端子Ｔ11と、第２の単位一次巻線Ｌ2の一端ｔ3に接続される第１グループ第２端子Ｔ12と、第３の単位一次巻線Ｌ3の一端ｔ5に接続される第１グループ共通端子Ｔc1と、第２の単位一次巻線の他端ｔ4に接続される第１グループ第３端子Ｔ13とからなっている。
【００３８】
また第２の端子グループＧ２は、第２の単位一次巻線Ｌ2の他端ｔ4に接続される第２グループ第１端子Ｔ21と、第１の単位一次巻線の他端ｔ2に接続される第２グループ共通端子Ｔc2と、第２の単位一次巻線Ｌ2の一端ｔ3に接続される第２グループ第２端子Ｔ22とからなっており、第３の端子グループＧ３は、第２の単位一次巻線Ｌ2の他端ｔ4に接続される第３グループ第１端子Ｔ31と、第３の単位一次巻線Ｌ3の他端ｔ6及び第４の単位一次巻線Ｌ4の一端ｔ7に接続される第３グループ第２端子Ｔ32と、第４の単位一次巻線Ｌ4の他端ｔ8に接続される第３グループ共通端子Ｔc3とからなっている。
【００３９】
第１ないし第３の端子グループＧ１ないしＧ３は、共通端子Ｔc1ないしＴc3の位置を揃えた状態で一方向（図３においては上下方向）に並べて配置され、各端子グループに属する複数の端子は、該一方向と直交する平面に沿って、並べて配置されている。
【００４０】
図６及び図７から明らかなように、第１の単位開閉器ＳＷ１は、第１グループ共通端子Ｔc1と第１グループ第１端子Ｔ11及び第１グループ第２端子Ｔ12との間を開閉するように設けられた第１グループ第１スイッチＳＷ11と、第１グループ共通端子Ｔc1と第１グループ第３端子Ｔ13との間を開閉するように設けられて第１グループ第１スイッチが閉状態にされるとき及び開状態にされるときにそれぞれ開状態及び閉状態にされる第１グループ第２スイッチＳＷ12とからなっている。
【００４１】
第１グループ第１スイッチＳＷ11は、第１グループ第１端子Ｔ11及び第１グループ第２端子Ｔ12にそれぞれ接続された第１グループ第１固定接触子Ｃ11及び第１グループ第２固定接触子Ｃ12と、第１グループ共通端子Ｔc1に取りつけられたヒンジＨ1により回動自在に支持されて、固定接触子Ｃ11及びＣ12に接触した状態になる閉位置と両固定接触子から離れた状態になる開位置との間を回動させられる（固定接触子Ｃ11及びＣ12に接離させられる）刃形の第１グループ第１可動接触子Ｍ11とにより構成されている。
【００４２】
また第１グループ第２スイッチＳＷ12は、第１グループ第３端子Ｔ13に接続された第１グループ第３固定接触子Ｃ13と、可動接触子Ｍ11とともにヒンジＨ1により回動自在に支持されて、固定接触子Ｃ13に接触した状態になる閉位置と該固定接触子Ｃ13から離れた状態になる開位置との間を回動させられる（固定接触子Ｃ13に接離させられる）刃形の第１グループ第２可動接触子Ｍ12とにより構成されている。
【００４３】
ヒンジＨ1は端子グループＧ1ないしＧ3の並設方向に伸びる図示しない操作軸により回動操作されるようになっていて、該ヒンジＨ1を一方向に回動させて第１可動接触子Ｍ11を閉位置に変位させたときに第２可動接触子Ｍ12が開位置まで変位し、ヒンジＨ1を他方向に回動させて第１可動接触子Ｍ11を開位置に変位させたときに第２可動接触子Ｍ12が開位置まで変位するように、第１及び第２可動接触子Ｍ11及びＭ12の間の位置関係が設定されている。第１可動接触子Ｍ11及び第２可動接触子Ｍ12は別体に形成されていてもよく、一体に形成されていてもよい。
【００４４】
また第２の単位開閉器ＳＷ2は、第２グループ共通端子Ｔc2と第２グループ第１端子Ｔ21との間を開閉するように設けられた第２グループ第１スイッチＳＷ21と、第２グループ共通端子Ｔc2と第２グループ第２端子Ｔ22との間を開閉するように設けられて第２グループ第１スイッチＳＷ21が開状態にされるとき及び閉状態にされるときにそれぞれ閉状態及び開状態にされる第２グループ第２スイッチＳＷ22とからなっている。
【００４５】
第２グループ第１スイッチＳＷ21は、第２グループ第１端子Ｔ21に接続された第２グループ第１固定接触子Ｃ21と、第２グループ共通端子Ｔc2に取りつけられたヒンジＨ2により回動自在に支持されて、固定接触子Ｃ21に接触した状態になる閉位置と両固定接触子から離れた状態になる開位置との間を回動させられる（固定接触子Ｃ21に接離させられる）刃形の第２グループ第１可動接触子Ｍ21とにより構成されている。
【００４６】
また第２グループ第２スイッチＳＷ22は、第２グループ第２端子Ｔ22に接続された第２グループ第２固定接触子Ｃ22と、可動接触子Ｍ21とともにヒンジＨ2により支持されて固定接触子Ｃ22に接触した状態になる閉位置と該固定接触子Ｃ22から離れた状態になる開位置との間を回動させられる（固定接触子Ｃ22に接離させられる）刃形の第２グループ第２可動接触子Ｍ22とにより構成されている。
【００４７】
第３の単位開閉器ＳＷ3は、第３グループ共通端子Ｔc3と第３グループ第１端子Ｔ31及び第３グループ第２端子Ｔ32との間を開閉する開閉器で、第３グループ第１端子Ｔ31に接続された第３グループ第１固定接触子Ｃ31と、第３グループ第２端子Ｔ32に接続された第３グループ第２固定接触子Ｃ32と、第３グループ共通端子Ｔc3に取りつけられたヒンジＨ3ににより回動自在に支持されて、固定接触子Ｃ31及びＣ32に接触した状態になる閉位置と両固定接触子から離れた状態になる開位置との間を変位させられる可動接触子Ｍ3とにより構成されている。
【００４８】
また切換開閉器を操作するため、第１ないし第３の端子グループＧ1ないしＧ3の並設方向に延びるように設けられて往復回転自在に支持された操作軸と、第１の単位開閉器ＳＷ1の第１スイッチＳＷ11と第２の単位開閉器ＳＷ2の第１スイッチＳＷ21と第３の単位開閉器ＳＷ3とを同時に閉状態及び開状態にし、第１の単位開閉器ＳＷ1の第２スイッチＳＷ12と第２の単位開閉器ＳＷ2の第２スイッチＳＷ22とを同時に開状態及び閉状態にするように、操作軸の変位を可動接触子Ｍ11，Ｍ12，Ｍ21，Ｍ22及びＭ3に伝達する操作機構とが設けられている。
【００４９】
本実施形態において、６．６ｋＶの系統電圧を受電するために、図１に示したように、単位一次巻線Ｌ1ないしＬ3を並列に接続し、単位一次巻線Ｌ4を短絡した状態にする際には、図６に示すように、単位切換開閉器ＳＷ1及びＳＷ2の第１のスイッチＳＷ11及びＳＷ21と第３の切換開閉器ＳＷ3とを閉状態にし、単位切換開閉器ＳＷ1及びＳＷ2の第２のスイッチＳＷ12及びＳＷ22を開状態にする。
【００５０】
また２２ｋＶの系統電圧を受電するために、図２に示したように単位一次巻線Ｌ1ないしＬ4を直列に接続する場合には、図７に示すように、単位切換開閉器ＳＷ1及びＳＷ2の第１のスイッチＳＷ11及びＳＷ21と第３の切換開閉器ＳＷ3とを開状態にし、単位切換開閉器ＳＷ1及びＳＷ2の第２のスイッチＳＷ12及びＳＷ22を閉状態にする。
【００５１】
上記のように、単位一次巻線の端末部を接続する端子群を複数の端子グループ（本実施形態ではＧ1ないしＧ3）に分けてこれらの端子グループを一方向に並べて配置し、各端子グループに属する複数の端子を端子グループの並設方向と直交する平面に沿って並べて配置するとともに、複数の端子グループに対してそれぞれ単位開閉器（ＳＷ1ないしＳＷ3）を設けて、これらの単位開閉器により切換開閉器を構成すると、切換開閉器の長さが長くなるのを防いで、切換開閉器をコンパクトに構成することができる。
【００５２】
この場合、切換開閉器を複数の単位開閉器に分けたことによる実を挙げて、切換開閉器の一層の小形化を図るためには、各端子グループを構成する複数の端子と各端子グループに対して設ける単位切換開閉器の構成要素とをほぼ同一の平面上に配置する構成とするのが好ましい。
【００５３】
即ち、第１ないし第３の端子グループにそれぞれ属する端子を、それぞれの中心軸線を操作軸と直交する同一の平面上に位置させた状態で設けて、第１の単位開閉器ないし第３の単位開閉器のそれぞれの構成部品を、第１の端子グループないし第３の端子グループの端子の中心軸線が配置された平面に沿って配置するのが好ましい。
【００５４】
本実施形態では、各端子グループにおいて、各端子グループにおいて隣り合う端子間の電位差が、変圧器の各相の一次巻線を構成する単位一次巻線１つが負担する電圧値（６．６ｋＶまたは２．２ｋＶ）を超えないように、各端子に接続される単位巻線の端末部が選択されている。このように構成すると、隣接する端子間の電位差を少なくすることができるため、各端子グループの端子間の距離及び単位開閉器の接点間の距離を短縮して切換開閉器の小形化を図ることができる。
【００５５】
上記の実施形態では、第１ないし第３の端子グループＧ1ないしＧ3にそれぞれ設ける端子数及び第１ないし第３の単位切換開閉器ＳＷ1ないしＳＷ3の構成を異ならせているが、すべての端子グループに設ける端子数を同じにし、すべての端子グループに対して設ける単位切換開閉器の構成を同じにすることもできる。
【００５６】
この場合には、図４に示したように、第１の単位一次巻線Ｌ1の一端ｔ1に接続される第１グループａ列端子Ｔ1aと、第２の単位一次巻線Ｌ2の一端ｔ3に接続される第１グループｂ列端子Ｔ1bと、第３の単位一次巻線の一端ｔ5に接続される第１グループｃ列端子Ｔ1cと、第２の単位一次巻線Ｌ2の他端ｔ4に接続される第１グループｄ列端子Ｔ1dとにより第１の端子グループＧ1を構成し、第２の単位一次巻線Ｌ2の他端に接続される第２グループａ列端子Ｔ2aと、空き端子とされる第２グループＢ列端子Ｔ2bと、第１の単位一次巻線Ｌ1の他端ｔ2に接続される第２グループｃ列端子Ｔ2cと、第２の単位一次巻線Ｌ2の一端ｔ3に接続される第２グループｄ列端子Ｔ3dとにより第２の端子グループＧ2を構成する。
【００５７】
また第２の単位一次巻線Ｌ2の他端ｔ4に接続される第３グループａ列端子Ｔ3aと、第３の単位一次巻線Ｌ3の他端ｔ6及び第４の単位一次巻線Ｌ4の一端ｔ7に接続される第３グループｂ列端子Ｔ3bと、第４の単位一次巻線の他端ｔ8に接続される第３グループｃ列端子Ｔ3cと、空き端子とされる第３グループｄ列端子Ｔ3dとにより第３の端子グループＧ3を構成する。
【００５８】
本実施形態においても、各端子グループの隣接する端子間の電位差が、１つの単位一次巻線が負担する電圧（６．６ｋＶ又は２．２ｋＶ）を超えることがないように、各端子の接続先（単位一次巻線の端末部）が選択されている。
【００５９】
前記の実施形態と同様に、第１ないし第３の端子グループＧ1ないしＧ3が一方向に並べて配置されて端子部が構成され、各端子グループに属する複数の端子は、ａ列ないしｄ列端子をそれぞれ他のグループに属するａ列ないしｄ列端子と並べた状態で上記一方向を横切る方向（図示の例では一方向に対して直角な方向）に並べて配置される。
【００６０】
また第１ないし第３の端子グループのそれぞれに対して個別に第１ないし第３の単位開閉器ＳＷ1ないしＳＷ3が設けられ、これらの単位開閉器により開閉器部が構成される。
【００６１】
図８及び図９に示したように、第１の単位開閉器ＳＷ1は、第１グループｃ列端子Ｔ1cと第１グループａ列端子Ｔ1a及び第１グループｂ列端子Ｔ1bとの間を開閉するように設けられた第１グループ第１スイッチＳＷ11と、第１グループｃ列端子Ｔ1cと第１グループｄ列端子Ｔ1dとの間を開閉するように設けられて第１グループ第１スイッチＳＷ11が閉状態にされるとき及び開状態にされるときにそれぞれ開状態及び閉状態にされる第１グループ第２スイッチＳＷ12とからなっている。
【００６２】
第１グループ第１スイッチＳＷ11は、第１グループａ列端子Ｔ1a及び第１グループｂ列端子Ｔ1bにそれぞれ接続された第１グループａ列固定接触子Ｃ1a及び第１グループｂ列固定接触子Ｃ1bと、第１グループｃ列端子Ｔ1cに取りつけられたヒンジＨ1により回動自在に支持されて、固定接触子Ｃ1a及びＣ1bに接触した状態になる閉位置と両固定接触子から離れた状態になる開位置との間を回動させられる刃形の第１グループ第１可動接触子Ｍ11とにより構成されている。
【００６３】
また第１グループ第２スイッチＳＷ12は、第１グループｄ列端子Ｔ1dに接続された第１グループｄ列接点Ｃ1dと、可動接触子Ｍ11とともにヒンジＨ1により回動自在に支持されて、固定接触子Ｃ1dに接触した状態になる閉位置と該固定接触子Ｃ1dから離れた状態になる開位置との間を回動させられる刃形の第１グループ第２可動接触子Ｍ12とにより構成されている。
【００６４】
前記の実施形態と同様に、ヒンジＨ1は端子グループＧ1ないしＧ3の並設方向に伸びる図示しない操作軸により回動操作されるようになっていて、ヒンジＨ1を図８において時計方向に回動させて第１可動接触子Ｍ11を閉位置に変位させたときに第２可動接触子Ｍ12が開位置まで変位し、ヒンジＨ1を反時計方向に回動させて第１可動接触子Ｍ11を開位置に変位させたときに第２可動接触子Ｍ12が開位置まで変位するように、第１及び第２可動接触子Ｍ11及びＭ12の間の位置関係が設定されている。第１可動接触子Ｍ11及び第２可動接触子Ｍ12は別体に形成されていてもよく、一体に形成されていてもよい。
【００６５】
また第２の単位開閉器ＳＷ2は、第２グループｃ列端子Ｔ2cと第２グループａ列端子Ｔ2a及び第２グループｂ列端子Ｔ2bとの間を開閉するように設けられた第２グループ第１スイッチＳＷ21と、第２グループｃ列端子Ｔ2cと第２グループｄ列端子Ｔ2dとの間を開閉するように設けられて第２グループ第１スイッチＳＷ21が開状態にされるとき及び閉状態にされるときにそれぞれ閉状態及び開状態にされる第２グループ第２スイッチＳＷ22とからなっている。
【００６６】
第２グループ第２スイッチＳＷ21は、第２グループａ列端子Ｔ2a及び第２グループｂ列端子Ｔ2bにそれぞれ接続された第２グループａ列固定接触子Ｃ2a及び第２グループｂ列固定接触子Ｃ2bと、第２グループｃ列端子Ｔ2cに取りつけられたヒンジＨ2により回動自在に支持されて、固定接触子Ｃ2a及びＣ2bに接触した状態になる閉位置と両固定接触子から離れた状態になる開位置との間を回動させられる刃形の第２グループ第１可動接触子Ｍ21とにより構成されている。
【００６７】
また第２グループ第２スイッチＳＷ22は、第２グループｄ列端子Ｔ2dに接続された第２グループｄ列接点Ｃ2dと、可動接触子Ｍ21とともにヒンジＨ2により回動自在に支持されて、固定接触子Ｃ2dに接触した状態になる閉位置と該固定接触子Ｃ2dから離れた状態になる開位置との間を回動させられる刃形の第２グループ第２可動接触子Ｍ22とにより構成されている。
【００６８】
更に第３の単位開閉器ＳＷ3は、第３グループｃ列端子Ｔ3cと第３グループａ列端子Ｔ3a及び第３グループｂ列端子Ｔ3bとの間を開閉する第３グループ第１スイッチＳＷ31と、第３グループｃ列端子Ｔ3cと第３グループｄ列端子Ｔ3dとの間を開閉するように設けられて第３グループ第１スイッチＳＷ31が開状態にされるとき及び閉状態にされるときにそれぞれ閉状態及び開状態にされる、第３グループ第２スイッチＳＷ32とにより構成されている。
【００６９】
第３グループ第２スイッチＳＷ31は、第３グループａ列端子Ｔ3a及び第３グループｂ列端子Ｔ3bにそれぞれ接続された第３グループａ列固定接触子Ｃ3a及び第３グループｂ列固定接触子Ｃ3bと、第３グループｃ列端子Ｔ3cに取りつけられたヒンジＨ3により回動自在に支持されて、固定接触子Ｃ3a及びＣ3bに接触した状態になる閉位置と両固定接触子から離れた状態になる開位置との間を回動させられる刃形の第３グループ第１可動接触子Ｍ31とにより構成されている。
【００７０】
また第３グループ第２スイッチＳＷ32は、第３グループｄ列端子Ｔ3dに接続された第３グループｄ列接点Ｃ3dと、可動接触子Ｍ31とともにヒンジＨ3により回動自在に支持されて、固定接触子Ｃ3dに接触した状態になる閉位置と該固定接触子Ｃ3dから離れた状態になる開位置との間を回動させられる刃形の第３グループ第２可動接触子Ｍ32とにより構成されている。
【００７１】
前記の実施形態と同様に、第１ないし第３の端子グループＧ1ないしＧ3の並設方向に伸びる操作軸と、第１の単位開閉器ないし第３の単位開閉器ＳＷ1ないしＳＷ3の第１スイッチＳＷ11ないしＳＷ31を同時に閉状態及び開状態にし、第１の単位開閉器ないし第３の単位開閉器ＳＷ1ないしＳＷ3の第２スイッチＳＷ11ないしＳＷ31を同時に開状態及び閉状態にするように操作軸の変位を第１ないし第３の単位開閉器の可動接触子Ｍ11ないしＭ31及びＭ12ないしＭ32に伝達する操作機構とが設けられている。
【００７２】
また第１ないし第３の端子グループＧ1にそれぞれ属する端子はそれぞれの中心軸線を操作軸と直交する平面上に位置させた状態で設けられ、第１の単位開閉器ないし第３の単位開閉器のそれぞれの構成部品は、第１の端子グループないし第３の端子グループの端子の中心軸線が配置された平面に沿って配置されている。
【００７３】
本実施形態において、６．６ｋＶの系統電圧を受電するために、図１に示したように、単位一次巻線Ｌ1ないしＬ3を並列に接続すると共に、単位一次巻線Ｌ4を短絡した状態にする際には、図８に示すように、単位切換開閉器ＳＷ1及びＳＷ2の第１のスイッチＳＷ11及びＳＷ21と第３の切換開閉器ＳＷ3とを閉状態にし、単位切換開閉器ＳＷ1及びＳＷ2の第２のスイッチＳＷ12及びＳＷ22を開状態にする。
【００７４】
また２２ｋＶの系統電圧を受電するために、図２に示したように単位一次巻線Ｌ1ないしＬ4を直列に接続する場合には、図９に示すように、単位切換開閉器ＳＷ1及びＳＷ2の第１のスイッチＳＷ11及びＳＷ21と第３の切換開閉器ＳＷ3とを開状態にし、単位切換開閉器ＳＷ1及びＳＷ2の第２のスイッチＳＷ12及びＳＷ22を閉状態にする。
【００７５】
図８及び図９に示した実施形態で用いる端子グループ及び単位開閉器の機械的な構成の一例を図１２ないし図１４に示した。図１２は単位開閉器の第１スイッチが閉状態にされたときの構成を示し、図１３は単位開閉器の第２スイッチが閉状態にされたときの構成を示している。また図１４は３相分の切換開閉器を側面から見た図を示しており、同図において２Ｕないし２ＷはそれぞれＵ相ないしＷ相の切換開閉器を示している。Ｕ相ないしＷ相の切換開閉器は、端子グループＧ1ないしＧ3を有する端子部と、これらの端子グループに対してそれぞれ設けられた単位開閉器ＳＷ1ないしＳＷ3とにより、同一の構造を有するように構成されている。
【００７６】
図１２ないし図１４において、１０は各相毎に設けられたフレームで、各フレーム１０は、絶縁材料により、天板部１１と、左右側板部１２及び１３とを有する逆Ｕ字形の形状に形成されている。
【００７７】
図１４に示したように、各相のフレーム１０の側板部の上半部に形成された２つの溝１５により、各相のフレームの天板部１１が端子グループの並設方向に並ぶ第１ないし第３の端子取付部１１Ａないし１１Ｃに分割され、これら第１ないし第３の端子取付部を貫通させて、第１ないし第３の端子グループＧ1ないしＧ3をそれぞれ構成する端子群が設けられている。図１４に示したように、３相のフレーム１０は一方向に並ぶように整合配置され、各フレーム１０の側板部１２及び１３の下端が３相に共通な底板１４に固定されている。
【００７８】
図１２及び図１３に示したように、フレーム１０の天板部１１に形成された第１の端子取付部１１Ａを貫通させて、第１の端子グループａ列端子Ｔ1aと、第１の端子グループｂ列端子Ｔ1bと、第１の端子グループｃ列端子Ｔ1cと、第１の端子グループｄ列端子Ｔ1dとが設けられている。これらの端子は、それぞれの中心軸線を後記する操作軸と直交する平面（端子グループの並設方向と直交する平面）上で互いに平行な方向に向けた状態で、端子グループＧ1ないしＧ3の並設方向に対して直角な方向（並設方向を横切る方向）に並べて配置されている。
【００７９】
ａ列端子Ｔ1a、ｂ列端子Ｔ1b、ｃ列端子Ｔ1c及びｄ列端子Ｔ1dは、それぞれの上部をフレームの天板部１１の上面から上方に突出させた状態で設けられていて、各端子の軸心部に、上方に開口したねじ孔が設けられ、各端子に設けられたねじ孔に螺合させたボルトにより、各端子に所定の単位一次巻線の端末部を接続し得るようになっている。
【００８０】
第１の端子取付部１１Ａに取り付けられたａ列端子Ｔ1a、ｂ列端子Ｔ1b、及びｄ列端子Ｔ1dのフレーム１０内に臨む下端にはそれぞれ第１グループａ列固定接触子Ｃ1a、第１グループｂ列固定接触子Ｃ1b及び第１グループｄ列固定接触子Ｃ1dが接続され、ｃ列端子Ｔ1cの下端には支持部材２０と回転軸２１とからなるヒンジＨ1が取り付けられている。
【００８１】
ヒンジＨ1の回転軸２１は、その中心軸線を端子グループの並設方向に向けた状態で設けられていて、この回転軸２１に、刃形接触子からなる第１グループ第１可動接触子Ｍ11及び第２可動接触子Ｍ12とを一体に有する可動接触子構成部材２２が取り付けられている。
【００８２】
第１可動接触子Ｍ11及び第２可動接触子Ｍ12は相互間に所定の角度を持たせた状態で設けられていて、図１２に示すように、第１可動接触子Ｍ11を固定接触子Ｃ1a及びＣ1bと接触した状態になる閉位置まで回動させたときに、第２可動接触子Ｍ12が固定接触子Ｃ1dから所定の絶縁距離だけ離れた状態になる開位置に達し、図１３に示すように、第２可動接触子Ｍ12を固定接触子Ｃ1dと接触した状態になる閉位置まで回動させたときに、第１可動接触子Ｍ11が固定接触子Ｃ1dから所定の絶縁距離だけ離れた状態になる開位置に達するように、第１可動接触子Ｍ11と第２可動接触子Ｍ12との間の位置関係が設定されている。
【００８３】
また第１可動接触子Ｍ11を閉位置側に回動させた際に、該可動接触子Ｍ11が固定接触子Ｃ1a及びＣ1bに同時に接触し、第１可動接触子Ｍ11を開位置側に回動させた際に、該可動接触子Ｍ11が固定接触子Ｃ1a及びＣ1bから同時に離れるように、両固定接触子Ｃ1a及びＣ1bの長さが設定されている。
【００８４】
図１２及び図１３には図示されていないが、同様に、フレーム１０の第２の端子取付部１１Ｂに第２グループＧ2の端子Ｔ2aないしＴ2dが取り付けられ、端子Ｔ2a，Ｔ2b及びＴ2dの下端に固定接触子Ｃ2a，Ｃ2b及びＣ2dが取り付けられている。また端子Ｔ2cの下端にヒンジＨ2が取り付けられ、該ヒンジにより第２グループ第１可動接触子Ｍ21及びＭ22が支持されている。
【００８５】
更にフレーム１０の第３の端子取付部１１Ｃに、第３グループＧ3の端子Ｔ3aないしＴ3dが取り付けられ、端子Ｔ3a，Ｔ3b及びＴ3dの下端に固定接触子Ｃ3a，Ｃ3b及びＣ3dが取り付けられている。また端子Ｔ3cの下端にヒンジＨ3が取り付けられ、このヒンジにより第３グループ第１可動接触子Ｍ31及び第３グループ第２可動接触子Ｍ32が支持されている。
【００８６】
３相の切換開閉器のフレーム１０を貫通させた状態で、操作軸２５が設けられている。操作軸２５は図示しない支持機構により回転自在に支持され、Ｕ相の切換開閉器のフレーム１０の外側、Ｕ相のフレームとＶ相のフレームとの間、Ｖ相のフレームとＷ相のフレームとの間、及びＷ相のフレームの外側にそれぞれ配置された駆動レバー２６Ａないし２６Ｄのそれぞれの一端が操作軸２５に固定されている。
【００８７】
また各単位開閉器の第１可動接触子Ｍ11，Ｍ21，Ｍ31に２枚のくの字形の絶縁板からなる絶縁レバー２７の一端がピン２８により連結され、操作軸１５と平行に配置されて一連の駆動レバー２６Ａの他端に固定された３相に共通な連結軸２９が、３相の切換開閉器の第１可動接触子Ｍ11，Ｍ21，Ｍ31にそれぞれ連結された絶縁レバー２７の他端に設けられた孔に回転自在に嵌合されている。
【００８８】
操作軸２５のＷ相側の端部には、操作ハンドル３０の回動変位を回転運動に変換して操作軸２５に伝達する変位伝達機構３１が設けられ、操作ハンドル３０を操作することにより、操作軸２５を一定の角度範囲で往復回転させて、３相の切換開閉器２Ｕないし２Ｗの可動接触子Ｍ11，Ｍ21，Ｍ31及びＭ12，Ｍ22，Ｍ32を一括して操作するようになっている。
【００８９】
本実施形態では、駆動レバー２６Ａないし２６Ｄと、絶縁レバー２７と、連結軸２９とにより、操作軸２５の変位を一連の可動接触子に伝達する操作機構が構成されている。
【００９０】
上記の各実施形態では、端子群を３つの端子グループに分割したが、図５に示すように、端子群を２つの端子グループＧ1及びＧ2に分割する構成をとることもできる。この場合、第１の端子グループＧ1は、第１の単位一次巻線Ｌ1の一端ｔ1に接続される第１グループ第１端子Ｔ11と、第２の単位一次巻線Ｌ2の一端ｔ3に接続される第１グループ第２端子Ｔ12と、第３の単位一次巻線Ｌ3の一端ｔ5に接続される第１グループ共通端子Ｔc1と、第２の単位一次巻線Ｌ2の他端ｔ4に接続される第１グループ第３端子Ｔ13とにより構成される。
【００９１】
また第２の端子グループＧ2は、第４の単位一次巻線Ｌ4の他端ｔ8に接続される第２グループ第１端子Ｔ21と、第３の単位一次巻線Ｌ3の他端Ｔ6及び第４の単位一次巻線Ｌ4の一端ｔ7に接続される第２グループ第２端子Ｔ22と、第２の単位一次巻線Ｌ2の他端ｔ4に接続される第２グループ第３端子Ｔ23と、第１の単位一次巻線Ｌ1の他端ｔ2に接続される第２グループ共通端子Ｔc2と、第２の単位一次巻線Ｌ2の一端ｔ3に接続される第２グループ第４端子Ｔ24とにより構成される。
【００９２】
第１及び第２の端子グループＧ1及びＧ2は、一方向に並べて配置され、各端子グループに属する端子が該一方向（端子グループの並設方向）と直交する平面に沿って、端子グループの並設方向と直角な方向に並べて配置されている。これらの端子グループにより端子部が構成され、図１０及び図１１に示すように、第１及び第２の端子グループのそれぞれに対して個別に設けられた第１及び第２の単位開閉器ＳＷ1及びＳＷ2により開閉器部が構成されている。
【００９３】
第１の単位開閉器ＳＷ1は、第１グループ共通端子Ｔc1と第１グループ第１端子Ｔ11及び第１グループ第２端子Ｔ12との間を開閉するように設けられた第１グループ第１スイッチＳＷ11と、第１グループ共通端子Ｔc1と第１グループ第３端子Ｔ13との間を開閉するように設けられて第１グループ第１スイッチＳＷ11が閉状態にされるとき及び開状態にされるときにそれぞれ開状態及び閉状態にされる第１グループ第２スイッチＳＷ12とからなっている。
【００９４】
第１グループ第１スイッチＳＷ11は、端子Ｔ11及びＴ12に接続された第１グループ第１固定接触子Ｃ11及び第１グループ第２固定接触子Ｃ12と、共通端子Ｔc1に接続されたヒンジＨ1により回動自在に支持されて固定接触子Ｃ11及びＣ12に接離させられる第１グループ第１可動接触子Ｍ11とにより構成され、第１グループ第２スイッチＳＷ12は、端子Ｔ13に接続された第１グループ第３固定接触子Ｃ13と、ヒンジＨ1により回動自在に支持されて固定接触子Ｃ13に接離させられる第１グループ第２可動接触子Ｍ12とにより構成されている。
【００９５】
また第２の単位開閉器ＳＷ2は、第２グループ共通端子Ｔc2と第２グループ第１端子Ｔ21、第２グループ第２端子Ｔ22及び第２グループ第３端子Ｔ23との間を開閉するように設けられた第２グループ第１スイッチＳＷ21と、第２グループ共通端子Ｔc2と第２グループ第４端子Ｔ24との間を開閉するように設けられて第２グループ第１スイッチＳＷ21が開状態にされるとき及び閉状態にされるときにそれぞれ閉状態及び開状態にされる第２グループ第２スイッチＳＷ22とからなっている。
【００９６】
第２グループ第１スイッチＳＷ21は、端子Ｔ21，Ｔ22及びＴ23にそれぞれ接続された第２グループの第１ないし第３固定接触子Ｃ21，Ｃ22及びＣ23と、共通端子Ｔc2に取り付けられたヒンジＨ2により回動自在に支持されて固定接触子Ｃ21，Ｃ22及びＣ23に接離させられる第２グループ第１可動接触子Ｍ21とにより構成され、第２グループ第２スイッチＳＷ22は、端子Ｔ24に接続された第２グループ第４固定接触子Ｃ24と、ヒンジＨ2により回動自在に支持されて固定接触子Ｃ14に接離させられる第２グループ第２可動接触子Ｍ22とにより構成されている。
【００９７】
この実施形態においても、第１の単位開閉器ＳＷ1の第１スイッチＳＷ11と第２の単位開閉器の第１スイッチＳＷ21とを同時に閉状態及び開状態にするように第１及び第２の単位開閉器ＳＷ1及びＳＷ2を操作軸により操作する操作機構が設けられる。また第１及び第２の端子グループＧ1及びＧ2にそれぞれ属する端子はそれぞれの中心軸線を操作軸と直交する平面上で互いに平行な方向に向けた状態で設けられ、第１の単位開閉器ＳＷ1及び第２の単位開閉器ＳＷ2の構成部品はそれぞれ第１の端子グループＧ1及び第２の端子グループＧ2の端子の中心軸線が配置された平面に沿って配置される。
【００９８】
本実施形態において、６．６ｋＶの系統電圧を受電する際には、単位開閉器ＳＷ1及びＳＷ2が図１０に示した状態にされ、２２ｋＶの系統電圧を受電する際には、単位開閉器ＳＷ1及びＳＷ2が図１１に示した状態に切り換えられる。
【００９９】
図５、図１０及び図１１に示した実施形態によれば、２つの端子グループからなる端子部と、それぞれの端子グループに対して設けられた単位開閉器とにより各相の切換開閉器を構成することができるため、３相の切換開閉器の長さを更に短くすることができる。
【０１００】
上記の実施形態では、変圧器の一次側をΔ結線するとしたが、一次側をＹ結線する場合にも本発明を適用することができるのはもちろんである。
【０１０１】
上記の各実施形態では、各端子グループに属する複数の端子を、端子グループの並設方向と直交する同一平面に沿って端子グループの並設方向に対して直角な方向に並べて配置しているが、各端子グループに属する複数の端子は、端子グループの並設方向と直交する平面に沿って並べて配置すればよく、すべての端子を同一平面上に配置する必要はない。例えば、各端子グループに属する一部の端子を他の端子に対して端子グループの並設方向に僅かに位置をずらした状態で配置するようにしてもよい。例えば図１２ないし図１４に示した例において、ａ列端子ないしｃ列端子を端子グループの並設方向と直交する１つの平面上に配置し、ｄ列端子をａ列端子ないしｃ列端子に対して端子グループの並設方向に僅かに位置をずらして配置するようにしてもよい。
【０１０２】
上記の実施形態では、各端子グループに属する複数の端子を、それぞれの中心軸線を、端子グループの並設方向と直交する平面上で互いに平行な方向に向けた状態で配置したが、本発明は、各端子グループに属する複数の端子をこのように配置する場合に限定されない。例えば、各端子グループに属する複数の端子の中心軸線を放射方向に向けた状態で、該複数の端子を配置するようにしてもよい。
【図面の簡単な説明】
【０１０３】
【図１】本発明に係わる切換開閉器を適用する変圧器の６．６ｋＶ受電時の各相の一次巻線の構成を示した回路図である。
【図２】本発明に係わる切換開閉器を適用する変圧器の２２ｋＶ受電時の各相の一次巻線の構成を示した回路図である。
【図３】本発明の第１の実施形態に係わる切換開閉器の端子部の構成例を概略的に示した構成図である。
【図４】本発明の第２の実施形態に係わる切換開閉器の端子部の構成例を概略的に示した構成図である。
【図５】本発明の第３の実施形態に係わる切換開閉器の端子部の構成例を概略的に示した構成図である。
【図６】本発明の第１の実施形態に係わる切換開閉器を用いた変圧器装置において６．６ｋＶ受電時に切換開閉器と変圧器の１相の一次巻線とにより構成される回路を示した回路図である。
【図７】本発明の第１の実施形態に係わる切換開閉器を用いた変圧器装置において２２ｋＶ受電時に切換開閉器と変圧器の１相の一次巻線とにより構成される回路を示した回路図である。
【図８】本発明の第２の実施形態に係わる切換開閉器を用いた変圧器装置において６．６ｋＶ受電時に切換開閉器と変圧器の１相の一次巻線とにより構成される回路を示した回路図である。
【図９】本発明の第２の実施形態に係わる切換開閉器を用いた変圧器装置において２２ｋＶ受電時に切換開閉器と変圧器の１相の一次巻線とにより構成される回路を示した回路図である。
【図１０】本発明の第３の実施形態に係わる切換開閉器を用いた変圧器装置において６．６ｋＶ受電時に切換開閉器と変圧器の１相の一次巻線とにより構成される回路を示した回路図である。
【図１１】本発明の第３の実施形態に係わる切換開閉器を用いた変圧器装置において２２ｋＶ受電時に切換開閉器と変圧器の１相の一次巻線とにより構成される回路を示した回路図である。
【図１２】本発明の第２の実施形態で用いる単位開閉器の６．６ｋＶ受電時の構成を示した正面図である。
【図１３】本発明の第２の実施形態で用いる単位開閉器の２２ｋＶ受電時の構成を示した正面図である。
【図１４】本発明の第２の実施形態で用いる３相の単位開閉器を示した側面図である。
【図１５】本発明に係わる切換開閉器が一次側に設けられた変圧器の６．６ｋＶ受電時の構成を示した回路図である。
【図１６】本発明に係わる切換開閉器が一次側に設けられた変圧器の２２ｋＶ受電時の構成を示した回路図である。
【図１７】既提案の変圧器装置の６．６ｋＶ受電時の変圧器一次側の構成を示した回路図である。
【図１８】既提案の変圧器装置で用いられる切換開閉器の６．６ｋＶ受電時の構成を示した回路図である。
【図１９】既提案の変圧器装置の２２ｋＶ受電時の変圧器一次側の構成を示した回路図である。
【図２０】既提案の変圧器装置で用いられる切換開閉器の２２ｋＶ受電時の構成を示した回路図である。
【符号の説明】
【０１０４】
１  変圧器の１相の一次巻線
２  切換開閉器
２５  操作軸
２７  絶縁レバー
２９  連結ピン
２Ｕ〜２Ｗ  Ｕ相〜Ｗ相の切換開閉器
Ｇ1〜Ｇ3  端子グループ
Ｔ11〜Ｔ13  第１グループ第１ないし第３端子
Ｔ21，Ｔ22  第１グループ第１端子、第２端子
Ｔ31，Ｔ32  第１グループ第１端子、第２端子
Ｔc1〜Ｔc3  第１グループないし第３グループ共通端子
Ｔ1a〜Ｔ1d  第１グループａ列端子ないしｄ列端子
Ｔ2a〜Ｔ2d  第２グループａ列端子ないしｄ列端子
Ｔ3a〜Ｔ3d  第３グループａ列端子ないしｄ列端子
ＳＷ1  第１の単位開閉器
ＳＷ2  第２の単位開閉器
ＳＷ11，ＳＷ21，ＳＷ31  第１のスイッチ
ＳＷ21，ＳＷ22，ＳＷ32  第２のスイッチ
【図１】
2005072484.tif 000003
【図２】
2005072484.tif 000004
【図３】
2005072484.tif 000005
【図４】
2005072484.tif 000006
【図５】
2005072484.tif 000007
【図６】
2005072484.tif 000008
【図７】
2005072484.tif 000009
【図８】
2005072484.tif 000010
【図９】
2005072484.tif 000011
【図１０】
2005072484.tif 000012
【図１１】
2005072484.tif 000013
【図１２】
2005072484.tif 000014
【図１３】
2005072484.tif 000015
【図１４】
2005072484.tif 000016
【図１５】
2005072484.tif 000017
【図１６】
2005072484.tif 000018
【図１７】
2005072484.tif 000019
【図１８】
2005072484.tif 000020
【図１９】
2005072484.tif 000021
【図２０】
2005072484.tif 000022